(57)【要約】【課題】  防犯性・管理性に重点を置きつつも、誰にでも、解錠に手間が掛からないＡＥＤを、屋外に設置・利用できるシステムを提供すること。【解決手段】  本発明に係るシステムは、自動体外式除細動器（ＡＥＤ）２２を内置したＡＥＤ設置箱２及び該ＡＥＤ２２の施錠管理を少なくとも行うＡＥＤ施錠管理部３を備えたシステムにおいて、前記ＡＥＤ設置箱２の利用を企図するＡＥＤ利用者からの通話発呼を着信する通信部と、前記通信部が着信した際に記憶装置に記録された前記ＡＥＤ設置箱解錠用の解錠暗号を前記ＡＥＤ利用者に対して通知する解錠暗号伝達部３４と、ＡＥＤ利用者からの解錠暗号の入力に適否に応じて前記ＡＥＤ設置箱２もしくは前記ＡＥＤ２２の解錠を行う施錠解錠部２６とを具備する。【選択図】図２
2011032640.tif 000002
【特許請求の範囲】
【請求項１】
自動体外式除細動器（ＡＥＤ）を内置したＡＥＤ設置箱及び該ＡＥＤの施錠管理を少なくとも行うＡＥＤ施錠管理部を備えたシステムにおいて、
前記ＡＥＤ設置箱の利用を企図するＡＥＤ利用者からの通話発呼を着信する通信部と、
前記通信部が着信した際に前記ＡＥＤ設置箱に係る機器番号が入力されると記憶装置に記録された前記ＡＥＤ設置箱解錠用の解錠暗号を前記ＡＥＤ利用者に対して通知する解錠暗号伝達部と、
ＡＥＤ利用者からの解錠暗号の入力に適否に応じて前記機器番号を確認し前記ＡＥＤ設置箱もしくは前記ＡＥＤの解錠を行う施錠解錠部と
を具備することを特徴とするＡＥＤ施錠解錠システム。
【請求項２】
前記施錠解錠部は通信機能を有し、前記解錠暗号伝達部からの通信によって自動的に解錠されることを特徴とする請求項１記載のＡＥＤ施錠解錠システム。
【請求項３】
前記発呼を行ったＡＥＤ利用者に関する情報を記録するための記録部をさらに具備することを特徴とする請求項１記載のＡＥＤ施錠解錠システム。
【請求項４】
自動体外式除細動器（ＡＥＤ）を内置したＡＥＤ設置箱の利用を企図するＡＥＤ利用者からの通話発呼を着信するステップと、
前記ＡＥＤ設置箱に係る機器番号が入力されると記憶装置に記録された前記ＡＥＤ設置箱の解錠を行うための解錠暗号情報を前記ＡＥＤ利用者に対して通信手段を通じて伝達するステップと、
前記解錠暗号情報が正しいことを確認して前記ＡＥＤ設置箱の施錠を解錠するステップと
を具備することを特徴とするＡＥＤ設置利用方法。
【発明の詳細な説明】
【技術分野】
【０００１】
本発明はたとえば、ＡＥＤの設置、特に、屋外における設置及びＡＥＤ利用者を特定して防犯に役立て得るＡＥＤ施錠解錠システム及びＡＥＤ設置利用方法に関する。
【背景技術】
【０００２】
従来、心拍停止状態に対して自動体外式除細動器（以下ＡＥＤと呼ぶ）による心拍動の蘇生が有効な処置として知られている。その心臓疾患に伴う心拍動の停止は時と場所を選ばないことから、ＡＥＤは駅、空港、競技場、その他公共施設等に設置され、その数は年々増加傾向にある。併せて、平成１６年７月には一般市民もＡＥＤを使用可能になった。
【０００３】
またＡＥＤの更なる普及を図り、全国にも設置数が非常に多い自動販売機に内蔵させたものがある。たとえば特許文献１では、自動体外式除細動器を搭載した自動販売機のコストの低減を考慮し、また保守点検を容易に行うことが可能な自動販売機である。
【先行技術文献】
【特許文献】
【０００４】
【特許文献１】特開２００８−１０２７９９号公報
【発明の概要】
【発明が解決しようとする課題】
【０００５】
しかしＡＥＤの設置には、設置場所が屋内に限定されるものが殆どであるという問題がある。即ちＡＥＤの設置には管理性・防犯性の理由から、管理性・防犯性が共に低い屋外に、設置するにはリスクが高いというものである。
【０００６】
同様の理由により特許文献１はこの問題を解決しているとはいえない。特許文献１では自動販売機に電源があるため、扉を開けてＡＥＤを取り出す際、警告灯や警告音により周囲の告知する事で盗難・悪戯防止を図る。しかし施錠がされていないため、電源の無い場所や夜間などには適さない。したがって特に管理性・防犯性を考慮した工夫を施していないと言える。
【０００７】
現状ではＡＥＤを屋外に設置するために、管理性・防犯性を十分に施したシステムは皆無であり、ＡＥＤの更なる普及を目指すためには、避けては通れない課題である。
【０００８】
そこで本発明の根本的な目的は、防犯性・管理性に重点を置きつつも、誰にでも、解錠に手間が掛からないＡＥＤを、屋外に設置・利用できるシステムを提供することである。
【課題を解決するための手段】
【０００９】
かかる目的を達成するために、本発明の請求項１に係るシステムは、自動体外式除細動器（ＡＥＤ）を内置したＡＥＤ設置箱及び該ＡＥＤの施錠管理を少なくとも行うＡＥＤ開錠暗号管理部を備えたシステムにおいて、前記ＡＥＤ設置箱の利用を企図するＡＥＤ利用者からの通話発呼を着信する通信部と、前記通信部が着信した際に前記ＡＥＤ設置箱に係る機器番号が入力されると記憶装置に記録された前記ＡＥＤ設置箱解錠用の解錠暗号を前記ＡＥＤ利用者に対して通知する解錠暗号伝達部と、ＡＥＤ利用者からの解錠暗号の入力に適否に応じて前記機器番号を確認し前記ＡＥＤ設置箱もしくは前記ＡＥＤの解錠を行う施錠解錠部（施錠部）とを具備して構成される。
【００１０】
施錠部を有するＡＥＤ収納箱とは、ＡＥＤを収納するのに適した箱状のものであり、材質、寸法等特に限定はないが、屋外に設置しても風雨等の影響を内置されるＡＥＤに対して与えない程度の剛性、密閉性を保持するものがよい。ＡＥＤ収納箱は第三者に自由に開けられないよう施錠される。施錠部は、解錠暗号伝達部より伝達された解錠暗号を、入力する、音声で認識する、番号を合わせる、のいずれか若しくは全部の機能を有して構成してもよい。
【００１１】
ＡＥＤ設置箱もしくは前記ＡＥＤの解錠を行う施錠解錠部とは、ＡＥＤの設置状況の管理・確認、交換状況の管理・確認、点検状況の管理・確認等の管理業務を行い、またパスワードの設定、変更等の業務も兼任する。
【００１２】
記録部とは、利用者からの電話を受けると、その発信番号と着信時間とを、記録し、その利用者からの電話が悪戯目的であり、悪戯が行われたと発覚した場合には、警察に提出する資料を自動的に通報・提供する機能を果たす。また、記憶装置とは、たとえばデータベースであり、より具体的には、情報を一定期間保持できる機能を有するものであればよい。
【００１３】
解錠暗号を伝達する解錠暗号伝達部とは、ＡＥＤ利用者から電話を受けた後、施錠部の解錠暗号をＡＥＤ利用者に伝達する機能を有するものである。また解錠暗号伝達部はＡＥＤ利用者から電話を受けた後、自動的に利用者にパスワードを伝達しても、人が口頭により利用者に伝達する方法をとってもよい。また前記利用者から電話を受けた後、前記ＡＥＤ収納箱の機器番号を確認する方法をとってもよい
【００１４】
管理部、記録部、解錠暗号伝達部は、それぞれの上記機能を有する機械、装置、部品、或いは、こうした機能をコンピュータに実行させるアルゴリズム、このアルゴリズムを具現化するプログラム、もしくはこのプログラムを含めたソフトウェア、これらの機能をプログラム的に実行するアルゴリズムを実行可能プログラムとしてＲＯＭ化したもの、かかるアルゴリズムをＩＣチップとしてこれを搭載した基板、搭載媒体、ＲＯＭ（読み出し専用メモリ）、或いはこれらを搭載もしくは内蔵したコンピュータ等によって実現されることができる。
【００１５】
また一度でも使用された解錠暗号は、屋外設置ＡＥＤ開錠暗号管理部によって、新たな解錠暗号に変更されるものであってもよい。即ち、管理部により毎回解錠暗号が変更されることで、以前解錠暗号を知った者がその解錠暗号を第三者に漏らしたとしても、その時には既に前記解錠暗号が変更されていれば、ＡＥＤの盗難及び損壊等に対して、より確実な防犯を達成できるものである。
【００１６】
上記構成を備えることにより、施錠部を有する屋外ＡＥＤ収納箱とＡＥＤを利用する利用者と前記ＡＥＤを管理する管理部において、ＡＥＤ利用者は、ＡＥＤ収納の箱に記載の電話番号に電話することでＡＥＤの管理部につながり、前記ＡＥＤ設置箱に係る機器番号が入力されると開錠暗号伝達部が施錠ＡＥＤ収納箱の開錠パスワードを利用者に伝達する。したがって、素早くＡＥＤの利用が促進され、緊急時における生命の保持性をより高めることができる。なお、この場合、ＡＥＤ利用者の通信に利用される電話は本システムの通信部に付属する機能を用いても、或いはＡＥＤ利用者自身の通信設備（たとえば携帯電話）を用いてもよい。
【００１７】
したがって、本発明によれば、防犯性・管理性に重点を置きつつも、誰にでも、解錠に手間が掛からないＡＥＤを、屋外に設置・利用できる。
【００１８】
上記構成において、前記施錠解錠部は通信機能を有し、前記解錠暗号伝達部からの通信によって自動的に解錠されるようにすることもできる。こうすることで、機械的、自動的にＡＥＤの解錠が確実に行え、より生命安全を担保することができる。
【００１９】
また、上記構成において、前記発呼を行ったＡＥＤ利用者に関する情報を記録するための記録部をさらに具備するようにすることもできる。こうすることで、発信者番記録部によってＡＥＤ利用者の電話番号が記録されるので、ＡＥＤ利用者がＡＥＤに悪戯目的もしくは既に悪戯を行なった場合、その番号を警察に提供するというシステムをとることにより、ＡＥＤ利用者は個人を特定され、逮捕される可能性があるという意識から、悪戯を抑止することができる。
【００２０】
また、上記課題を解決するために、本発明に係るＡＥＤ設置利用方法は、自動体外式除細動器（ＡＥＤ）を内置したＡＥＤ設置箱の利用を企図するＡＥＤ利用者からの通話発呼を着信するステップと、前記ＡＥＤ設置箱に係る機器番号が入力されると記憶装置に記録された前記ＡＥＤ設置箱の解錠を行うための解錠暗号情報を前記ＡＥＤ利用者に対して通信手段を通じて伝達するステップと、前記解錠暗号情報が正しいことを確認して前記ＡＥＤ設置箱の施錠を解錠するステップとを具備して構成される。
【００２１】
かかる構成によれば、素早くＡＥＤの利用が促進され、緊急時における生命の保持性をより高めることができる。
【００２２】
なお、上記の本願に係る技術思想は、上述の機能を有する施錠式ＡＥＤ収納装置及び／もしくは開錠番号自動通知システムとしても実現できる。
【発明の効果】
【００２３】
本発明によれば、防犯性・管理性に重点を置きつつも、誰にでも、解錠に手間が掛からないＡＥＤを、屋外に設置・利用できるシステムを提供することが実現できる。即ち、発信者番記録部によってＡＥＤ利用者の電話番号が記録されるので、ＡＥＤ利用者がＡＥＤに悪戯目的もしくは既に悪戯を行なった場合、その番号を警察に提供するというシステムをとることにより、ＡＥＤ利用者は個人を特定され、逮捕される可能性があるという意識から、悪戯を抑止することができる。
【図面の簡単な説明】
【００２４】
【図１】本発明の一実施形態に係る屋外ＡＥＤ施錠システム全体を示す概要図である。
【図２】本発明の一実施形態に係る屋外ＡＥＤ施錠システムの機構的構成を示すブロック図である。
【図３】本発明の一実施形態に係る屋外ＡＥＤ施錠システムの動作を示すタイミングフローチャートである。
【図４】本発明の一実施形態に係る一般的なＡＥＤ機器（自動体外式除細動器）及び電極を表す図である。
【図５】本発明の一実施形態に係る屋外ＡＥＤ収納箱である。
【発明を実施するための形態】
【００２５】
以下、図面を参照して本発明の最良の実施形態を説明する。なお、以下では、本発明の目的を達成するための説明に必要な範囲を模式的に示し、本発明の該当部分の説明に必要な範囲を主に説明することとし、説明を省略する箇所については公知技術によるものとする。
【００２６】
図１、図２は本発明の一実施形態に係る屋外ＡＥＤ施錠システム全体を示す概要図である。同図に示すように、本発明の一実施形態に係る屋外ＡＥＤ施錠解錠システムにおいては、ＡＥＤ利用者１によって確認される管理部番号が表示される屋外ＡＥＤ設置箱２と、ＡＥＤ利用者１からの電話を着信しＡＥＤ利用者１に対して屋外ＡＥＤ解錠暗号を伝達する屋外設置ＡＥＤ開錠暗号管理部３と、記憶装置（データベース）５を備えて構成され、屋外設置ＡＥＤ開錠暗号管理部３から伝達された屋外ＡＥＤ解錠暗号によって、ＡＥＤ利用者１は屋外ＡＥＤ収納箱２の施錠部２６を解錠できるような構成となっている。屋外設置ＡＥＤ開錠暗号管理部３はまた、解錠暗号の設定、変更等の総合的な管理付帯業務も担当する。
【００２７】
図２は発明の一実施形態に係る屋外ＡＥＤ施錠システムの機構的構成を示すブロック図である。同図に示すとおり、本システムの周辺にはＡＥＤを利用しようとする利用者１及び警察組織４が存在することを想定している。本システムは、ＡＥＤを内置し、第三者に開けられないよう施錠した屋外ＡＥＤ収納箱２と、屋外ＡＥＤ収納箱２を総合管理し、ＡＥＤ利用者１の電話番号情報を必要があれば警察組織に提供する屋外設置ＡＥＤ開錠暗号管理部３とを少なくとも備えて構成される。
【００２８】
屋外設置ＡＥＤ開錠暗号管理部３は、発信者番号記録部３２、解錠暗号伝達部３４、屋外ＡＥＤ点検部３６、発信者番号提供部３８、および利用者との間で通信（電話通信を含む）のやり取りを行うことのできる通信部（図示しない）を具備して構成される。これらの各部は、本システムではそれぞれ独立しているが、類似した機能を有する各部毎に統合した構成をとっても構わない。また、これらの各部は、それぞれの機能を有する機械、装置、部品、或いは、こうした機能をコンピュータに実行させるアルゴリズム、このアルゴリズムを具現化するプログラム、もしくはこのプログラムを含めたソフトウェア、これらの機能をプログラム的に実行するアルゴリズムを実行可能プログラムとしてＲＯＭ化したもの、かかるアルゴリズムをＩＣチップとしてこれを搭載した基板、搭載媒体、ＲＯＭ（読み出し専用メモリ）、或いはこれらを搭載もしくは内蔵したコンピュータ等によって実現されることができる。
【００２９】
発信者番号記録部３２は、屋外設置ＡＥＤ開錠暗号管理部３に発信してきたＡＥＤ利用者１の電話番号と着信日時をデータベース５に対して記録するものである。ＡＥＤ利用者１の発信者番号が非通知設定である場合は、そのＡＥＤ利用者１に番号を通知設定にするよう促す機能を有する。
【００３０】
発信者番号が通知設定である場合は、ＡＥＤ設置箱に係る機器番号が（たとえばＡＥＤ利用者から）入力されると、後述する解錠暗号伝達部３４へ、ＡＥＤ利用者１に解錠暗号を伝達してもよいとの指示を出す。
【００３１】
解錠暗号伝達部３４は、発信者番号記録部３２より解錠暗号（たとえば機器番号に対応した解錠暗号としての開錠番号）を伝達してよいとの指示を受けた後、ＡＥＤ利用者１に解錠番号を伝達する機能を有する。また解錠暗号伝達部３４は、ＡＥＤ利用者１より電話を受けた後、自動的に通信回線で施錠部２６の施錠を解除する機能を有しても良い。なおこの場合、解錠暗号伝達部３４と施錠部２６に通信機能が備わっている必要がある。
【００３２】
屋外ＡＥＤ点検部３６は、屋外ＡＥＤ収納箱２及び／もしくはＡＥＤ機器２２を定期的に点検し、必要があれば修理・交換等を行う機能を有する。また、施錠部２６の解錠暗号の定期的な変更設定を行う機能を有しても良い。
【００３３】
発信者番号提供部３８は、自発的、若しくは警察組織４からの要求に応じて、発信者番号記録部３２によって記録された、ＡＥＤ利用者１の電話番号を提供する機能を有する。また発信者番号提供部３８の機能は、その機能の類似性から、発信者番号記録部３２が有するものとして構成してもよい。
【００３４】
本形態に係る屋外ＡＥＤ収納箱２は、ＡＥＤ機器２２、管理部電話番号記載部２４、施錠部２６を具備して構成される。また、ＡＥＤ設置箱２にはその個別の識別番号（機器番号）を記載した個別識別（機器番号）番号記載部（図示しない）を有して構成してもよい。
【００３５】
ＡＥＤ機器２２は、一般的に知られる自動体外式除細動器（Ａｕｔｏｍａｔｅｄ Ｅｘｔｅｒｎａｌ Ｄｅｆｉｂｒｉｌｌａｔｏｒ）である。自動体外式除細動器は、心室細動の際に機器が自動的に解析を行い、必要に応じて電気的なショック（除細動）を与え、心臓の働きを戻すことを試みる医療機器である。電源を入れ、電極パッドを胸に貼り付けると心電図を解析して電気ショックを与えるべきかを調べるものである。本願では、自動体外式除細動器の種類、材質等については特に限定はなく、どのようなものであっても、本願において用いることができる。
【００３６】
管理部電話番号記載部２４には、屋外ＡＥＤ収納箱２及びＡＥＤ機器２２を管理する屋外設置ＡＥＤ開錠暗号管理部３への連絡先電話番号が記載されてある。管理部番号記載部２４に記載された電話番号に電話することが、施錠部２６解錠の暗号を入手する最も適切な手段である。
【００３７】
施錠部２６は、屋外ＡＥＤ収納箱２を施錠する錠前である。施錠部２６は通信機能を有し、管理部番号に電話すると同時に自動的に解錠する機能を有しても良い。また施錠部２６は、解錠暗号伝達部３４より伝達された解錠暗号を、入力する（たとえば施錠部にアルファベットもしくは数字或いはその他の記号を入力するためのキーに解錠暗号を入力することにより解錠する）、番号を合わせる（種々の番号が付いた錠前を解錠暗号通りに合わせることで解錠する）のいずれか若しくは全部の機能を有して構成してもよい。
【００３８】
図４は本形態に係る一般的なＡＥＤ機器２２及びその電極２３の一例を示した斜視図である。これらがＡＥＤ収納箱２に収納される。
【００３９】
図５は本発明の一実施形態に係るＡＥＤ収納箱２の立体斜視図である。すなわち、屋外ＡＥＤ収納箱２は、管理者番号記載部２４、施錠部２６を具備し、ＡＥＤ機器２２を内置するように構成される。
【００４０】
次に、上記のように構成される本発明の動作について詳しく説明する。図３は本発明の一実施形態に係る屋外設置ＡＥＤ施錠システムの動作を示すタイミングフローチャートである。
【００４１】
同図に示すように、まず、ＡＥＤ利用者１は管理部番号記載部２４記載の電話番号を確認し（ステップＡ１０２）、電話をかける（ステップＡ１０４）。次にＡＥＤ利用者からの電話を受けた屋外ＡＥＤ開錠暗号管理部３は発信者番号記録部３２により、ＡＥＤ利用者１の電話番号と日時をデータベース５に記録し（ステップＣ３０２）、解錠暗号伝達部３４に（予めデータベース５もしくは別の図示しない記憶部に記録された）解錠暗号を伝達するように指示を送る。指示を受けた解錠暗号伝達部３４は、ＡＥＤ利用者１に施錠部２６の解錠暗号を伝達する（ステップＣ３０４）。或いは代替的に、解錠暗号伝達部３４は、ＡＥＤ設置箱の解錠を直接リモートコントロールによって（たとえば通信を飛ばすなどによって）直接行うのでもよい（図示しない）。解錠番号を取得（ステップＡ１０６）したＡＥＤ利用者１はその前記解錠番号を施錠部２６に適用し（ステップＡ１０８）、施錠部２６は解錠され（ステップＢ２０４）、ＡＥＤ機器２２が使用可能となる。
【００４２】
また、図示しないがＡＥＤ暗号管理部３から機器番号要求、ＡＥＤ利用者１から機器番号通知、管理部３が機器番号取得、開錠暗号と照合というシステムをとってもよい。
【００４３】
また、屋外設置ＡＥＤ開錠暗号管理部３は警察組織４から求めがあった（ステップＤ４０２）場合若しくは自発的に、ＡＥＤ利用者１の発信者番号情報を提供する（ステップＣ３０６）。
【００４４】
また、屋外設置ＡＥＤ開錠暗号管理部３がＡＥＤ利用者１から電話を受けたとき、発信者番号記録部３２がＡＥＤ利用者１の電話番号を記録したと同時に、施錠部２６の施錠を自動的に解除しても良い。
【００４５】
また、ＡＥＤ利用者１より電話を受けた際、ＡＥＤ収納箱の機器番号を確認する方法をとってもよい。即ち携帯電話が自局を番号非通知設定にさている場合は開錠番号通知システムに電話を掛けたと時に『番号通知にして掛け直す』旨の音声が流れて接続はされない。接続されると開錠番号通知システムより機器番号を要求されるのでＡＥＤ（自動体外式除細動器）ボックスに表記されている機器番号を携帯電話等より送信する。機器番号が認識されるとそのＡＥＤ（自動体外式除細動器）収納ボックス用の開錠番号が通知されるシステムである。
【００４６】
以上のように本発明によれば、防犯性・管理性に重点を置きつつも、誰にでも、解錠に手間が掛からないＡＥＤを、屋外に設置・利用できるシステムを提供することが実現できる。即ち、発信者番記録部によってＡＥＤ利用者の電話番号が記録されるので、ＡＥＤ利用者がＡＥＤに悪戯目的もしくは既に悪戯を行なった場合、その番号を警察に提供するというシステムを採ることにより、ＡＥＤ利用者は個人を特定され、逮捕される可能性があるという意識から、悪戯を抑止することができる。
【００４７】
また本発明によれば、ＡＥＤは屋内設置が多く例えば都市部などでは隣り合った建物に別々に設置されている場合などは屋外に設置することで人目に触れ、ある場所が把握しやすく、同時に２台の内１台をそれぞれの建物の中間あたりの屋外に接してもう１台は別の場所に設置することが出来、高価なＡＥＤの絶対数を増やす事無く再配置することが出来る。さらにＡＥＤ（自動体外式除細動器）収納ボックスはそれぞれ個別に設置するが、開錠番号通知システムはＡＥＤ（自動体外式除細動器）収納ボックスを設置、管理する機関、団体、組織などの全てが共同利用し、開錠番号通知システムは無人の為に２４時間対応でき、設置後に運用するための維持費を低く抑える事が出る。
【００４８】
なお、本発明は上述した各実施形態に限定されるものではなく、本発明の主旨を逸脱しない範囲内で種々変更して実施することが可能である。
【００４９】
また、上述したものは本発明に係る技術思想を具現化するための実施形態の一例を示したにすぎないものであり、他の実施形態でも本発明に係る技術思想を適用することが可能である。
【００５０】
さらにまた、本発明を用いて生産される装置、方法、システムが、その２次的生産品に搭載されて商品化された場合であっても、本発明の価値は何ら減ずるものではない。
【産業上の利用可能性】
【００５１】
上述したように、本願発明によれば、今までほとんど屋内にしか置くことのなかったＡＥＤを屋外に置くことによって、屋外で心肺停止状態になった人でも迅速に対応できるようになる。つまりこれまでに救えなかった命を減少させることが可能となる。
【００５２】
更にＡＥＤのみならず、これまで、管理性・防犯性が不十分だったため屋内に限定されていたものが、屋外でも置けるようになった。
【００５３】
本質的に、医療業の枠を超えて、あらゆる産業に対して本願のシステムは利用できるものであり、各種産業において利用可能性が高いものである。
【符号の説明】
【００５４】
１  ＡＥＤ利用者
２  屋外ＡＥＤ収納箱
３  ＡＥＤ開錠暗号管理部
４  警察組織
５  データベース
２２  ＡＥＤ機器
２３  電極
２４  管理部電話番号記載部（管理部番号記載部とも称する）
２６  施錠部
３２  発信者番号記録部
３４  解錠番号伝達部
３６  屋外ＡＥＤ点検部
３８  発信者番号提供部
１０２  管理部番号確認ステップ
１０４  管理部への電話ステップ
１０６  解錠番号確認ステップ
１０８  解錠番号適用ステップ
２０２  施錠状態ステップ
２０４  施錠部解錠ステップ
３０２  発信者番号記録ステップ
３０４  解錠番号伝達ステップ
３０６  発信者番号提供ステップ
４０２  協力要請ステップ
【図１】
2011032640.tif 000003
【図２】
2011032640.tif 000004
【図３】
2011032640.tif 000005
【図４】
2011032640.tif 000006
【図５】
2011032640.tif 000007